(57)【要約】      （修正有）【課題】１種類で、真空調理又は電子レンジに用いることができる加熱調理用包装袋及び加熱調理用セットを提供する。【解決手段】表面部２及び裏面部３を含む加熱調理用包装袋１において、前記加熱調理用包装袋の外周の一部には外部から被加熱物を投入できる開口部４を有し、前記開口部以外の外周は密封状態となっており、前記加熱調理用包装袋を、前記開口部が上方向になるように配置した際に、前記表面部及び／又は前記裏面部には、水平位置の異なる孔６が少なくとも２以上設けられていることを特徴とする加熱調理用包装袋。【選択図】図１
2015168469.tif 000002
【特許請求の範囲】
【請求項１】
表面部及び裏面部を含む加熱調理用包装袋において、
前記加熱調理用包装袋の外周の一部は外部から被加熱物を投入できる開口部を有し、前記開口部以外の外周は密封状態となっており、
前記加熱調理用包装袋を、前記開口部が上方向になるように配置した際に、前記表面部及び／又は前記裏面部には、水平位置の異なる孔が少なくとも２以上設けられていることを特徴とする加熱調理用包装袋。
【請求項２】
前記孔が、同じ水平位置に１以上設けられていることを特徴とする請求項１に記載の加熱調理用包装袋。
【請求項３】
同じ水平位置に設けられている孔の数が、開口部に近付くほど多くなることを特徴とする請求項１又は２に記載の加熱調理用包装袋。
【請求項４】
前記孔の大きさが、水平位置毎に異なることを特徴とする請求項１〜３の何れか一項に記載の加熱調理用包装袋。
【請求項５】
前記表面部及び／又は前記裏面部に、クリップを挟む位置が表示されていることを特徴とする請求項１〜４の何れか一項に記載の加熱調理用包装袋。
【請求項６】
前記加熱調理用包装袋の開口部と反対側が、投入した被加熱物により拡張して自立できる自立型底部として形成されていることを特徴とする請求項１〜５の何れか一項に記載の加熱調理用包装袋。
【請求項７】
請求項１〜６の何れか一項に記載の加熱調理用包装袋、及び、
該加熱調理用包装袋を封止できるクリップ、
を含むことを特徴とする加熱調理用セット。
【請求項８】
前記クリップが、
第１部材及び第２部材を含み、前記第１部材及び第２部材の間に加熱調理用包装袋を挟むことができ、
前記第１部材及び前記第２部材の両端には、前記第１部材と前記第２部材が回動することができ、且つ前記第１部材の回動中心線が前記第２部材の表面に対して平行となるように係合することができる係合部が形成され、
前記第１部材及び前記第２部材を係合した状態において、前記回動中心線と前記第２部材の表面との最短距離をＨとした場合、前記第１部材には、前記Ｈより短いＲ1及び前記Ｈ以上の長さのＲL部分が、前記回動中心線と平行となるように形成されていることを特徴とする請求項７に記載の加熱調理用セット。
【発明の詳細な説明】
【技術分野】
【０００１】
本発明は、加熱調理用包装袋及び加熱調理用セットに関し、特に、食品等の被加熱物を封入して真空調理や電子レンジ調理等の加熱調理をすることに適した加熱調理用包装袋、並びに、該加熱調理用包装袋及び加熱調理用包装袋を挟んで封止することができるクリップを含む加熱調理用セットに関するものである。
【背景技術】
【０００２】
近年、調理済みの食品などを可撓性のある包装袋に密封状に封入したレトルト食品が広く流通している。かかる包装袋に封入された食品等は、包装袋を湯煎又は電子レンジで加熱して食されている。
【０００３】
また、近年の電子レンジや包装袋の性能の向上により、未調理の食材を包装袋に封入し、電子レンジで加熱調理することも知られている。
【０００４】
ところで、包装袋に封入された被加熱物を電子レンジで加熱調理すると、被加熱物の水分が急速に水蒸気化することで内圧が高くなり爆発の恐れがある。そのため、包装袋から水蒸気を外部に逃がして内圧を下げるため、包装袋のチャックの間に通気孔を形成する（特許文献１参照）、包装袋のファスナーより内側に、水蒸気を逃がす開放穴を形成する（特許文献２参照）、包装袋を電子レンジに横置きにした際に、包装袋の上面の中央部分に複数の孔を形成する（特許文献３参照）、等の方法が知られている。
【０００５】
しかしながら、上記特許文献１及び２に記載されている包装袋は、チャックテープを用いていることから包装袋の製造コストが高くなるという問題がある。また、上記特許文献１及び２に記載されている包装袋は、チャックテープ及び孔の位置関係により被加熱物から発生した水蒸気を孔の外に逃がしている。したがって、被加熱物の水分量に応じて、孔の位置や数等を調整することが難しく、一種類の袋で多様な被加熱物を加熱調理することが難しいという問題がある。
【０００６】
更に、上記特許文献３に記載されている包装袋は、チャックテープを用いていないので製造コストは安い。しかしながら、上記特許文献３に記載されている包装袋は、包装袋に封入する被加熱物の種類に応じて孔の数や位置をその都度調整することは可能であるが、一端封入した後は調理後まで開封することはできない。したがって、一般家庭において、独自に下味をつけた被加熱物を包装袋の開口部から投入し、その後に加熱調理する用途には使用することができないという問題がある。
【０００７】
また、近年、包装袋を用いた調理方法として、真空パックされた食品を湯煎またはスチームオーブンを用いて、５５℃程度から９５℃程度までの間の一定温度で加熱する真空調理が普及している。真空調理は、真空であるため熱伝導が良好であり、食品全体を最も美味しい特定の温度範囲内に均一に加熱できるというメリットがある。
【０００８】
真空調理をするためには、下処理を施した食材を樹脂フィルム等の包装袋に入れて、真空密閉する必要がある。しかしながら、市販されている真空包装機は高価で且つ設置スペースも必要なことから、一般家庭に普及にしくいという問題がある。そのため、本発明者は、包装袋を挟んだ状態で移動することができるクリップを開発し、高価な真空包装機を用いることなく、簡単な方法で食材等を封入した包装袋を真空にできることを見出し、特許出願を行っている（特許文献４参照）。
【０００９】
ところで、一般家庭において、調理方法や封入する食材毎に包装袋を準備することは、コスト及び包装袋の保管スペースの問題が発生する。しかしながら、現在のところ、調理方法や封入する食材を問わず、一種類の包装袋で電子レンジによる加熱調理や真空調理を行えるものは知られていない。
【先行技術文献】
【特許文献】
【００１０】
【特許文献１】実開平７−８４１号公報
【特許文献２】実用新案登録第３１６０６３４号公報
【特許文献３】実用新案登録第３０５２８９５号公報
【特許文献４】特願２０１４−０１３３５５号
【発明の概要】
【発明が解決しようとする課題】
【００１１】
本発明は、上記従来の問題を解決するためになされた発明であり、鋭意研究を行ったところ、（１）加熱調理用包装袋の外周の一部に外部から被加熱物を投入できる開口部を設け、前記加熱調理用包装袋を、前記開口部が上方向になるように配置した際に水平位置の異なる孔を少なくとも２以上設け、（２）先に出願したクリップを用い、包装袋を挟んだ状態でクリップを移動させることで、被加熱物を投入した後の包装袋を真空状態にしたり、加熱した際に発生する水蒸気を外部に逃がす孔の個数を調整できること、を新たに見出し、本発明を完成した。
【００１２】
すなわち、本発明の目的は、真空調理及び電子レンジに用いることができる加熱調理用包装袋及び加熱調理用セットを提供することである。
【課題を解決するための手段】
【００１３】
本発明は、以下に示す、加熱調理用包装袋及び加熱調理用セットに関する。
【００１４】
（１）表面部及び裏面部を含む加熱調理用包装袋において、
前記加熱調理用包装袋の外周の一部は外部から被加熱物を投入できる開口部を有し、前記開口部以外の外周は密封状態となっており、
前記加熱調理用包装袋を、前記開口部が上方向になるように配置した際に、前記表面部及び／又は前記裏面部には、水平位置の異なる孔が少なくとも２以上設けられていることを特徴とする加熱調理用包装袋。
（２）前記孔が、同じ水平位置に１以上設けられていることを特徴とする上記（１）に記載の加熱調理用包装袋。
（３）同じ水平位置に設けられている孔の数が、開口部に近付くほど多くなることを特徴とする上記（１）又は（２）に記載の加熱調理用包装袋。
（４）前記孔の大きさが、水平位置毎に異なることを特徴とする上記（１）〜（３）の何れか一に記載の加熱調理用包装袋。
（５）前記表面部及び／又は前記裏面部に、クリップを挟む位置が表示されていることを特徴とする上記（１）〜（４）の何れか一に記載の加熱調理用包装袋。
（６）前記加熱調理用包装袋の開口部と反対側が、投入した被加熱物により拡張して自立できる自立型底部として形成されていることを特徴とする上記（１）〜（５）の何れか一に記載の加熱調理用包装袋。
（７）上記（１）〜（６）の何れか一に記載の加熱調理用包装袋、及び、
該加熱調理用包装袋を封止できるクリップ、
を含むことを特徴とする加熱調理用セット。
（８）前記クリップが、
第１部材及び第２部材を含み、前記第１部材及び第２部材の間に加熱調理用包装袋を挟むことができ、
前記第１部材及び前記第２部材の両端には、前記第１部材と前記第２部材が回動することができ、且つ前記第１部材の回動中心線が前記第２部材の表面に対して平行となるように係合することができる係合部が形成され、
前記第１部材及び前記第２部材を係合した状態において、前記回動中心線と前記第２部材の表面との最短距離をＨとした場合、前記第１部材には、前記Ｈより短いＲ1及び前記Ｈ以上の長さのＲL部分が、前記回動中心線と平行となるように形成されていることを特徴とする上記（７）に記載の加熱調理用セット。
【発明の効果】
【００１５】
本発明の加熱調理用包装袋は、開口部が上方向になるように配置した際に水平位置の異なる孔が少なくとも２以上設けられているので、真空状態となる位置でクリップを止めたり、水蒸気を外部に逃がす孔の数が所望となる位置でクリップを止めることができる。したがって、一種類の包装袋で、真空調理及び電子レンジによる調理に使用することができ、更に、封入する被加熱物の種類を問わず使用することができる。
本発明の加熱調理用包装袋は、別途クリップを用いて封止することからチャックテープが不要である。したがって、製造コストを大幅に下げることができる。
【図面の簡単な説明】
【００１６】
【図１】図１は、本発明の包装袋の一例を示す模式図である。
【図２】図２は、本発明の包装袋の他の実施形態を示す図である。
【図３】図３は、本発明の包装袋の使用方法を説明する図である。
【図４】図４は、本発明の包装袋の他の実施形態を示す図である。
【図５】図５は、本発明の包装袋の他の実施形態を示す図である。
【図６】図６は、包装袋を挟んだ状態で移動することができるクリップの一例を示す概略図である。
【図７】図７は、図６に示すクリップを係合した状態の断面図である。
【発明を実施するための形態】
【００１７】
以下に、本発明の加熱調理用包装袋及び加熱調理用セットについて図面を参考にしながら詳しく説明する。
【００１８】
図１は、本発明の加熱調理用包装袋１（以下、単に「包装袋」と記載することがある。）の一例を示す模式図で、図１（１）は包装袋１の正面概略図、図１（２）は図１（１）のＸ−Ｘ’線での断面図である。包装袋１は、表面部２及び裏面部３を含み、包装袋１の外周の一部は外部から被加熱物を投入できる開口部４を形成し、開口部４以外の外周は熱溶着等によりシールされている。
【００１９】
図２は、本発明の包装袋１の他の実施形態を示しており、開口部４の反対側は自立型底部となっている。図２（２）に示す自立型底部は、底部５が表面部２及び裏面部３の内側に畳み込まれており、被加熱物を投入することで拡張して自立できる構造となっている。なお、図２（２）に示す例は自立型底部の単なる一例を示しており、例えば、底部５を表面部２及び裏面部３の外側に折りたたむ等、自立できるものであれば特に制限は無い。
【００２０】
本発明の包装袋１には、図１（１）及び図２（１）に示すように、開口部４を上方向になるように配置した際に、水平位置の異なる孔６が少なくとも２以上、表面部２及び／又は裏面部３に設けられている。なお、本発明において、「水平位置」とは、開口部４の端部４１及び４２を結んだ線と平行となる線（図１（１）及び図２（１）中の点線）の位置を意味する。
【００２１】
包装袋１は、当分野において一般的に用いられている材料であって、調理する際の温度及び／又は加熱した際に被加熱物が到達する温度等を考慮し、適宜選択すればよい。例えば、ポリプロピレンフィルム、ナイロンフィルム、低密度ポリエチレン（ＬＤＰＥ）フィルム、高密度ポリエチレン（ＨＤＰＥ）フィルム、ポリエチレンテレフタレート（ＰＥＴ）フィルム、アルミ等の金属を蒸着したフィルムなど任意の合成樹脂材、紙などの繊維及び生分解性プラスチック等が挙げられる。包装袋１は、単層であっても積層であってもよい。また、包装袋１の形状は、図１及び２に示す、表面部２及び裏面部３の２枚のフィルムを合わせ開口部４以外の包装袋１の外周をシールした三方シールタイプに限定されず、一枚のフィルムを半分に折り接合部をシールした半折タイプ、一枚のフィルムを左右から折り込みシールしたセンターシールタイプ、一枚のフィルムをシールしながら切って造る溶断タイプ等、開口部４が形成されていれば特に制限は無い。
【００２２】
包装袋１を積層にする場合は、主にプラスチックを主体とする積層フィルムを用いることができる。積層フィルムを用いる場合、最内層にシーラント層が積層された積層フィルムが一般的には用いられるが、投入される被加熱物や使用条件などに応じて種々の構成の積層フィルムを使用することができる。例えば、要求される性能に応じて、基材フィルム層とシーラント層との間に、中間層として、水蒸気その他のガスバリヤー層や、遮光層、強度向上層などを積層して構成することができる。上記基材フィルム層、中間層、シーラント層は、それぞれを単独の層で形成してもよいが、複数の層を積層して形成してもよい。
【００２３】
上記基材フィルム層には、二軸延伸ポリプロピレンフィルムのほか、二軸延伸ポリエチレンテレフタレートフィルム、二軸延伸ポリエチレンナフタレートフィルムなどの二軸延伸ポリエステルフィルムや、ナイロン６、ナイロン６６、ＭＸＤ６（ポリメタキシリレンアジパミド）などのフィルムを二軸延伸した二軸延伸ポリアミドフィルムなどを好適に使用することができる。これらは単独で使用してもよく、また、複数を組み合わせて積層して使用してもよい。
【００２４】
中間層をガスバリヤー層とする場合、中間層には、エチレン・酢酸ビニル共重合体ケン化物（ＥＶＯＨ）、ポリ塩化ビニリデン（ＰＶＤＣ）、ポリアクリロニトリル（ＰＡＮ）、ＭＸＤ６などのフィルムのほか、アルミニウム箔などの金属箔、或いは、シリカ、アルミナ、酸化亜鉛、酸化マグネシウム、ＩＴＯ、アルミニウムなどの無機酸化物や金属の蒸着層、またはポリ塩化ビニリデン（ＰＶＤＣ）、ポリビニルアルコール（ＰＶＡ）、ポリアクリル酸（ＰＡＡ）などの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。これらのうち、アルミニウム箔またはアルミニウムの蒸着層を設けたフィルムは、不透明で遮光性を有するため遮光層を兼ねることもできる。中間層を強度向上層とする場合は、前記基材フィルムのいずれかを適宜追加して積層してもよく、また、二軸延伸高密度ポリエチレンフィルムなどを防湿層も兼ねて積層してもよい。上記基材フィルム層と中間層の積層には、公知のドライラミネーション法または押し出しラミネーション法（サンドイッチラミネーション法）を用いることができる。
【００２５】
最内層のシーラント層には、低密度ポリエチレン（ＬＤＰＥ）、直鎖状低密度ポリエチレン（Ｌ・ＬＤＰＥ）のほか、シングルサイト触媒を用いて重合したエチレン・α−オレフィン共重合体、エチレン・酢酸ビニル共重合体（ＥＶＡ）、エチレン・アクリル酸共重合体（ＥＡＡ）、エチレン・メタクリル酸のランダム共重合体（ＥＭＡＡ）、そして、エチレン・アクリル酸メチル共重合体（ＥＭＡ）、エチレン・アクリル酸エチル共重合体（ＥＥＡ）などのエチレン・アクリル酸エステル共重合体、アイオノマー、ポリプロピレンまたはその共重合体などのポリオレフィン系樹脂を使用することができ、これらの中から、投入される被加熱物に応じて、好適なものを適宜選択して使用することができる。シーラント層の積層は、上記の樹脂をフィルム状に製膜し、そのフィルムをドライラミネーション法または押し出しラミネーション法で積層する方法、或いは、上記の樹脂を押し出しコートして積層する方法などを採ることができるが、例えば、被加熱物がシーラント層に浸透しやすいものを含むような場合は、接着強度に優れたドライラミネーション法で積層することが好ましい。
【００２６】
図３は本発明の包装袋１の使用方法を説明する図である。図３（１）は真空調理をする場合のクリップ１０の位置を示しており、開口部４から最も離れている孔６より下の位置でクリップ１０を用いて包装袋１を封止し、湯煎等を行えばよい。また、図３（２）及び（３）は電子レンジを用いて調理する場合のクリップ１０の位置を示しており、加熱時に被加熱物から発生する水蒸気の量に応じて、クリップ１０のクリップする位置を変え、発生した水蒸気を外部に逃す孔６の数を予め調整しておけばよい。
【００２７】
包装袋１が図１に示すような自立型でない場合は、孔６は表面部２又は裏面部３の一方のみに形成してもよい。その場合、被加熱物を投入し、クリップ１０で包装袋１を封止し、電子レンジに寝かせて配置する際に孔６が上を向くようにすればよい。被加熱物の水分量が少ない場合は、孔６から水蒸気は外部に逃すことはできるが、被加熱物が孔６から漏れ出すことはない。表面部２及び裏面部３の両方に孔６を設ける場合は、クリップ１０で包装袋１を封止した後、包装袋１を容器等に入れ、クリップ１０の両端部を容器の上端に係止することで、孔６から被加熱物が漏れ出さないようにすればよい。孔６を表面部２又は裏面部３の両方に設ける場合は、表面部２又は裏面部３を重ねた際に、同じ水平位置の孔６が重なるように設けてもよいし、同じ水平位置ではあるが孔６が重ならないように設けてもよい。
【００２８】
包装袋１が図２に示すような自立型の場合も、上記と同様に、孔６を表面部２又は裏面部３の一方のみに設けてもよいし、両方に設けてもよい。
【００２９】
孔６の形状は、円、楕円、多角形等、特に制限は無い。また、孔６の大きさも、水蒸気は通過することはできるが、固形状の被加熱物は通過できない程度の大きさであれば特に制限は無い。調理する被加熱物に応じて適宜調整すればよい。
【００３０】
図４は、本発明の包装袋１の他の実施形態を示す図で、図４（１）〜（３）は孔６の数、大きさ等を変更した例を示す図である。図４（１）は、同じ水平位置に複数の孔６を設けた例を示している。図４（２）は同じ水平位置に設ける孔６の数を、水平位置毎に異なるように設けている。一つの包装袋１でほとんど水分を含まない被加熱物から水分を多めに含む被加熱物を調理する場合は、図４（２）に示すように、同じ水平位置に設けられている孔６の数が、開口部４に近付くほど多くした方が好ましい。図４（３）は、同じ水平位置に設けられている孔６を、開口部４に近付くほど数を多くし且つ大きくした例を示している。例えば、ほとんど水分を含まない被加熱物の加熱から、生米及び水を投入して炊飯する等、被加熱物の水分量が大幅に異なる場合は、図４（３）に示す孔６の配置にすることが好ましい。なお、図４（１）〜（３）は、孔６の形成例の単なる例示に過ぎず、被加熱物に応じて孔の形状、個数、大きさは適宜調整すればよい。
【００３１】
図５は、本発明の包装袋１の他の実施形態を示す図である。本発明の包装袋１は、１種類の包装袋１で真空調理から電子レンジを用いた加熱調理まで多様な用途に用いることができる。したがって、一般家庭で包装袋１を使用する際の目安として、包装袋１に真空調理をする際のクリップ位置、生野菜、冷凍米の加熱、生米の炊飯等、電子レンジで加熱調理する際のクリップ位置を包装袋１上に表示してもよい。
【００３２】
本発明の包装袋１は、包装袋１を封止することができるクリップ１０と共に加熱調理用セットとして用いることができる。包装袋１を専ら電子レンジによる加熱調理のみに使用する場合は、上側部材及び下側部材の間に袋状容器の一部を挟むクリップ（特開２００３−１０４３９７号公報）、レール及びレールガイドの間に袋状容器の一部を挟み込む帯クリップ（特開平１１−１３０１０３号公報）等、公知のクリップを用いることができる。
【００３３】
一方、本発明の包装袋１を、真空調理に用いたり、電子レンジで加熱調理後にクリップ１０を孔６のない部分に速やかに移動して密封状態にする場合は、包装袋１を挟んだ状態で移動することができる、前記特許文献４に記載されているクリップ１０を用いることが好ましい。
【００３４】
図６は、包装袋１を挟んだ状態で移動することができるクリップ１０の一例を示す概略図である。図６に示すクリップ１０は、第１部材２０及び第２部材３０を含んでおり、第１部材２０及び第２部材３０の両端には、第１部材２０及び第２部材３０が相対的に回動可能に係合できる係合部が形成されている。また、第１部材２０の両端に円柱部２１が形成され、第２部材３０の両端には、上方向から押圧することで円柱部２１を係合することができ、且つ回動することができる大きさの円形部を含む略Ｕ字部３１が形成されており、円柱部２１と略Ｕ字部３１で係合部を形成している。係合部は、第１部材２０及び第２部材３０を相対的に回動する際に、第１部材２０の円柱部２１の中心を結んだ回動中心線２２が、第２部材３０の表面と平行となるように、円柱部２１の直径、略Ｕ字部３１の円形部の位置等が調整されている。また、第１部材２０の円柱部２１の一方には、前記円柱部２１より直径の大きな第２円柱部２３が形成され、該第２円柱部２３には第１部材を回動するためのノブ２４が形成されている。なお、ノブ２４は両端の円柱部２１に設けてもよい。
【００３５】
図７は、図６に示す第１部材２０及び第２部材３０を係合した状態のＡ−Ａ断面図である。第１部材２０の表面には、回動中心線２２と第２部材の表面との最短距離をＨとした場合、Ｈより短い長さのＲ1部分、及びＨ以上の長さのＲL部分が、回動中心線２２と平行となるように第１部材２０の長手方向に形成されている。Ｒ1の長さは、第１部材２０のＲ1部分及び第２部材３０の間に包装袋１を挟んだ状態でクリップ１０を移動することができればよいので、Ｈ−Ｒ1の厚さが種々の包装袋１の最も厚いものより長くすればよい。また、ＲLの長さは、第１部材２０を回動して包装袋１を封止することができればよいので、少なくともＲLはＨ以上の長さであればよい。
【００３６】
図６に示すクリップ１０は、上記の例に限定されず、特許文献４に記載されているように、第１部材２０が曲面部を含んでいてもよく、また、回動中心線２２からの距離が異なる複数の平面を含むようにしてもよい。また、第１部材２０のＲ1部分以外の表面の少なくとも一部、又はＲ1部分を含む場所が平面の場合は当該平面以外の表面の少なくとも一部に、弾性部材を設けてもよい。更に、第１部材２０及び第２部材３０の両端の少なくとも一方に、第１部材２０及び第２部材３０の回動を係止することができるロック機構が設けられていてもよい。
【００３７】
図６に示すクリップ１０を包装袋１と共に用いると、簡単に真空調理ができるのみでなく、例えば、電子レンジで生米を炊飯できる数の孔６の位置でクリップ１０を用いて包装袋１を封止して加熱調理した後、真空調理位置にクリップ１０をずらすことで炊飯後の米を蒸らす等、１種類の包装袋１で多様な使い方をすることができる。
【産業上の利用可能性】
【００３８】
本発明の包装袋１は、クリップ１０と共に使用することで、１種類の袋で真空調理、電子レンジによる加熱調理等、多様な用い方ができる。したがって、一般家庭における加熱調理用の包装袋として有用である。
【符号の説明】
【００３９】
１    包装袋
２    表面部
３    裏面部
４    開口部
５    底部
６    孔
１０  クリップ
２０  第１部材
２１  円柱部
２２  回動中心線
２３  第２円柱部
２４  ノブ
３０  第２部材
３１  略Ｕ字部
【図１】
2015168469.tif 000003
【図２】
2015168469.tif 000004
【図３】
2015168469.tif 000005
【図４】
2015168469.tif 000006
【図５】
2015168469.tif 000007
【図６】
2015168469.tif 000008
【図７】
2015168469.tif 000009